(57)【要約】【課題】  構成が簡単で、操作も容易な連結具並びにこの連結具を用いた時計用バンドおよび時計を提供する。【解決手段】  時計ケース４０Ａを有する時計本体４０と、時計ケース４０Ａと連結するための連結具１０を備えた時計用バンド５０と、を備え、連結具１０は、基材に、当該基材の外方に両端が突出して時計ケース４０Ａと連結されるばね棒を支持し、基材に、ばね棒を軸方向に収縮させる操作部材３０、３１を設けた。【選択図】      図１０
2006034654.tif 000002
【特許請求の範囲】
【請求項１】
基材に、当該基材の外方に両端が突出するばね棒を支持し、
前記基材に、前記ばね棒を軸方向に収縮させる操作部材を設けたことを特徴とする連結
具。
【請求項２】
請求項１記載の連結具において、
前記操作部材の端部が前記基材の外方に突出されていることを特徴とする連結具。
【請求項３】
請求項１または請求項２記載の連結具において、
前記ばね棒および前記操作部材が横並びに配置されていることを特徴とする連結具。
【請求項４】
請求項１ないし請求項３のいずれかに記載の連結具において、
前記ばね棒は、前記基材の外方に突出された両端に被連結部材が連結されるものであり
、
前記被連結部材は、時計ケース、駒あるいは中留めのいずれかであることを特徴とする
連結具。
【請求項５】
時計ケースと連結するための連結具を備えた時計用バンドにおいて、
前記連結具は、基材に、当該基材の外方に両端が突出して前記時計ケースと連結される
ばね棒を支持し、
前記基材に、前記ばね棒を軸方向に収縮させる操作部材を設けた、
ことを特徴とする時計用バンド。
【請求項６】
連結具を有する駒を備えた時計用バンドにおいて、
前記連結具は、基材に、当該基材の外方に両端が突出して他の駒あるいは時計ケースと
連結されるばね棒を支持し、
前記基材に、前記ばね棒を軸方向に収縮させる操作部材を設けた、
ことを特徴とする時計用バンド。
【請求項７】
中留めと連結するための連結具を備えた時計用バンドにおいて、
前記連結具は、基材に、当該基材の外方に両端が突出して前記中留めと連結されるばね
棒を支持し、
前記基材に、前記ばね棒を軸方向に収縮させる操作部材を設けた、
ことを特徴とする時計用バンド。
【請求項８】
時計ケースを有する時計本体と、
時計ケースと連結するための連結具を備えた時計用バンドと、を備え、
前記連結具は、基材に、当該基材の外方に両端が突出して前記時計ケースと連結される
ばね棒を支持し、
前記基材に、前記ばね棒を軸方向に収縮させる操作部材を設けた、
ことを特徴とする時計。
【請求項９】
時計本体と、
中留めと、
前記中留めと連結するための連結具を備え、前記時計本体に連結される時計用バンドと
、を備え、
前記連結具は、基材に、当該基材の外方に両端が突出して前記中留めと連結されるばね
棒を支持し、
前記基材に、前記ばね棒を軸方向に収縮させる操作部材を設けた、
ことを特徴とする時計。
【請求項１０】
時計ケースを有する時計本体と、
連結具を有する駒を有する時計用バンドと、を備え、
前記連結具は、基材に、当該基材の外方に両端が突出して他の駒あるいは前記時計ケー
スと連結されるばね棒を支持し、
前記基材に、前記ばね棒を軸方向に収縮させる操作部材を設けた、
ことを特徴とする時計。
【発明の詳細な説明】
【技術分野】
【０００１】
本発明は、連結具、時計用バンドおよび時計に係り、特に時計ケースに対する時計用バ
ンドの連結あるいは時計用バンドを構成する駒などの連結を道具を使わずに行うことが可
能な連結具、時計用バンドおよび時計に関する。
【背景技術】
【０００２】
従来より時計をユーザが装着するため、あるいは、時計用バンドを交換するため、時計
用バンドを時計本体から着脱容易にすべく、様々な時計用バンドの着脱装置が提案されて
いる。
例えば、特許文献１には、一端が時計ケースと結合したバンド部材の他端に、外部に露
出する操作杵と一体に形成されたばね棒を設けて時計ケースとの間で直接着脱操作ができ
るような構成が開示されている。
【特許文献１】特開昭５８−８９２０３号公報
【発明の開示】
【発明が解決しようとする課題】
【０００３】
しかしながら、特許文献１記載の技術は操作杵とばね棒とが一体に形成されているため
、汎用性がない部品となり、製造コストが高く、製造も困難となってしまうという問題点
があった。
そこで、本発明の目的は、構成が簡単で、操作も容易な連結具並びにこの連結具を用い
た時計用バンドおよび時計を提供することにある。
【課題を解決するための手段】
【０００４】
上記課題を解決するため、連結具は、基材に、当該基材の外方に両端が突出するばね棒
を支持し、前記基材に、前記ばね棒を軸方向に収縮させる操作部材を設けたことを特徴と
している。
上記構成によれば、操作部材を介してばね棒を軸方向に収縮させることにより、容易に
ばね棒の両端に被連結部材を連結させ、あるいは、容易にばね棒の両端に連結されている
被連結部材との連結を解除させることができる。
【０００５】
この場合において、前記操作部材の端部が前記基材の外方に突出されているようにして
もよい。
また、前記ばね棒および前記操作部材が横並びに配置されているようにしてもよい。
さらに、前記ばね棒は、前記基材の外方に突出された両端に被連結部材が連結されるも
のであり、前記被連結部材は、時計ケース、駒あるいは中留めのいずれかであるようにし
てもよい。
また、時計ケースと連結するための連結具を備えた時計用バンドは、前記連結具は、基
材に、当該基材の外方に両端が突出して前記時計ケースと連結されるばね棒を支持し、前
記基材に、前記ばね棒を軸方向に収縮させる操作部材を設けた、ことを特徴としている。
上記構成によれば、操作部材を介してばね棒を軸方向に収縮させることにより、容易に
ばね棒の両端に時計ケースを連結させ、あるいは、容易にばね棒の両端に連結されている
時計ケースとの連結を解除させることができる。
【０００６】
また、連結具を有する駒を備えた時計用バンドは、前記連結具は、基材に、当該基材の
外方に両端が突出して他の駒あるいは時計ケースと連結されるばね棒を支持し、前記基材
に、前記ばね棒を軸方向に収縮させる操作部材を設けた、ことを特徴とするものである。
上記構成によれば、操作部材を介してばね棒を軸方向に収縮させることにより、容易に
ばね棒の両端に駒を連結させ、あるいは、容易にばね棒の両端に連結されている駒との連
結を解除させることができる。
【０００７】
また、中留めと連結するための連結具を備えた時計用バンドは、前記連結具は、基材に
、当該基材の外方に両端が突出して前記中留めと連結されるばね棒を支持し、前記基材に
、前記ばね棒を軸方向に収縮させる操作部材を設けた、ことを特徴としている。
上記構成によれば、操作部材を介してばね棒を軸方向に収縮させることにより、容易に
ばね棒の両端に中留めを連結させ、あるいは、容易にばね棒の両端に連結されている中留
めとの連結を解除させることができる。
【０００８】
また、時計は、時計ケースを有する時計本体と、時計ケースと連結するための連結具を
備えた時計用バンドと、を備え、前記連結具は、基材に、当該基材の外方に両端が突出し
て前記時計ケースと連結されるばね棒を支持し、前記基材に、前記ばね棒を軸方向に収縮
させる操作部材を設けた、ことを特徴としている。
上記構成によれば、操作部材を介してばね棒を軸方向に収縮させることにより、容易に
ばね棒の両端に時計ケースを連結させ、あるいは、容易にばね棒の両端に連結されている
時計ケースとの連結を解除させることができる。
また、時計は、時計本体と、中留めと、前記中留めと連結するための連結具を備え、前
記時計本体に連結される時計用バンドと、を備え、前記連結具は、基材に、当該基材の外
方に両端が突出して前記中留めと連結されるばね棒を支持し、前記基材に、前記ばね棒を
軸方向に収縮させる操作部材を設けた、ことを特徴としている。
上記構成によれば、操作部材を介してばね棒を軸方向に収縮させることにより、容易に
ばね棒の両端に中留めを連結させ、あるいは、容易にばね棒の両端に連結されている中留
めとの連結を解除させることができる。
【０００９】
また、時計は、時計ケースを有する時計本体と、連結具を有する駒を有する時計用バン
ドと、を備え、前記連結具は、基材に、当該基材の外方に両端が突出して他の駒あるいは
前記時計ケースと連結されるばね棒を支持し、前記基材に、前記ばね棒を軸方向に収縮さ
せる操作部材を設けた、ことを特徴としている。
上記構成によれば、操作部材を介してばね棒を軸方向に収縮させることにより、容易に
ばね棒の両端に時計ケースあるいは他の駒を連結させ、あるいは、容易にばね棒の両端に
連結されている時計ケースあるいは他の駒との連結を解除させることができる。
【発明を実施するための最良の形態】
【００１０】
次に本発明の好適な実施の形態について図面を参照して説明する。
図１は、実施形態の連結具の外観斜視図である。図２は、基材の外観斜視図である。
連結具１０は、基材１１を備えており、この基材１１は、図２に示すように、平板状の
基部１２と、基部１２の側方から略垂直に立設された支持片１３、１４を有している。
支持片１３、１４には、ばね棒２０の一端が挿入される第１孔１５Ａおよび操作部材３
０、３１の一端が挿入される第２孔１５Ｂがそれぞれ設けられている。
上記構成により、支持片１３、１４には、ばね棒２０および操作部材３０、３１が、そ
れらの一端がそれぞれ対応する支持片１３あるいは支持片１４の第１孔１５Ａあるいは第
２孔１５Ｂから外方に突出された状態で支持されている。
【００１１】
図３は、操作部材３０の外観斜視図である。図４は、操作部材３１の外観斜視図である
。図５は、ばね棒２０の外観斜視図である。
操作部材３０は、図３に示すように、係合部３０Ａを有している。また、操作部材３１
は、図４に示すように、係合部３１Ａを有している。係合部３０Ａ、３１Ａは、それぞれ
、ばね棒２０を構成するピン２１に設けられたつば部２０Ａに外方側から係合しており、
操作部材３０あるいは操作部材３１の側面がばね棒２０内の図示しないばねの付勢力によ
り、支持片１３あるいは支持片１４の内側面１３Ａ、１４Ａに押圧されている。
この場合において、操作部材３０は、突設されたガイド部材３０Ｂを有している。また
、操作部材３１は、組み込み時にガイド部材３０Ｂの両側面に対向してガイド部材３０Ｂ
と互いに摺動可能に嵌め合わされるべく、突設されたガイド部材３１Ｂ、３１Ｃを有して
いる。
また、操作部材３０、３１の支持片１３、１４から突出された一端３０Ｃ、３１Ｄは、
ユーザが違和感なく操作可能なようにその周縁部が丸みを帯びるように形成されている。
【００１２】
次に連結具の組み立て手順について説明する。
図６は、連結具の組み立て手順説明図である。
まず、ばね棒２０を用意し、基材１１の支持片１３、１４の第１孔１５Ａにばね棒２０
を収縮させつつ、取り付ける（ステップＳ１）。
次に操作部材３１の一端３１Ｄを支持片１４の第２孔１５Ｂに挿入するとともに、ばね
棒２０の支持片１４の第１孔１５Ａに挿入されている側をばね棒２０の軸方向に沿って内
方に押し込みつつ、つば部２０Ａに係合部３１Ａが係合するように操作部材３１を所定位
置まで組み込む（ステップＳ２）。
続いて操作部材３０の一端３０Ｃを支持片１３の第２孔１５Ｂに挿入するとともに、ば
ね棒２０の支持片１３の第１孔１５Ａに挿入されている側をばね棒２０の軸方向に沿って
内方に押し込みつつ、つば部２０Ａに係合部３０Ａが係合するとともに、ガイド部材３０
Ｂが操作部材３１のガイド部材３１Ｂ、３１Ｃで形成される空間内に位置するように操作
部材３０を所定位置まで組み込むことにより、連結具１０が完成する（ステップＳ３）。
【００１３】
図７は、連結具の時計本体への取り付け状態の説明図である。
連結具１０を構成するばね棒２０の両端は、時計本体４０を構成する時計ケース４０Ａ
に設けられた双方の、かん４１に形成されたかん穴４１Ａに回動可能に挿入されて係合す
ることにより、連結具１０が時計本体４０を構成する時計ケース４０Ａに取り付けられる
こととなる。
続いて実際の時計バンドの組み立てについて説明する。
まず、レザー製の時計バンド及びラバー製の時計バンドへ連結具１０を組み込む場合に
ついて説明する。
【００１４】
図８は、レザー製の時計バンド５０の端部の外観斜視図である。図９は、ラバー製の時
計バンド５５の端部の外観斜視図である。
この場合には、時計バンド５０、５５の端部に連結具１０を収納させるための収納部５
１を形成する。
具体的にはレザー製の時計バンド５０の場合には、その端部を、図８に示すように、折
り返して縫合し（あるいは接着し）、連結具１０の支持片１３、１４側の除く周面を覆う
ように筒状の収納部５１を形成する。
また、ラバー製の時計バンド５５の場合には、その端部に、図９に示すように、型抜き
を行って、一体的に筒状の収納部５１を形成する。この場合に、収納部５１を連結具１０
の外形寸法に対し、若干小さめの寸法で作っておけば、連結具１０を圧入するだけで、簡
易的に固定が可能となる。
【００１５】
図１０は、レザー製の時計バンドを時計本体に取り付けた場合の外観斜視図である。ま
た、図１１は、ラバー製の時計バンドを時計本体に取り付けた場合の外観斜視図である。
図１０あるいは図１１に示すように、レザー製の時計バンド５０も、ラバー製の時計バ
ンド５５もデザイン的に違和感なく、時計本体４０を構成する時計ケース４０Ａのかん４
１に取り付けられており、さらに、操作部材３０、３１も時計本体４０を構成する時計ケ
ース４０Ａからの時計バンド５０、５５の脱着が容易な状態となっている。
次に、ステンレス製、チタン製、１８金製などのメタル製の時計バンドへ連結具１０を
組み込む場合について説明する。
【００１６】
図１２は、メタル製の時計バンドの端部部材６０の組み立て説明図である。
時計バンドの端部部材６０は、連結具１０を収納させるための角筒形状を有する収納部
材６１を平板を折り曲げ加工することにより形成する。
これと並行して、平板の端部に折り曲げ加工を施すことにより、端部に一般的なばね棒
を挿通可能な挿通部６２Ａを有する収納部連結部材６２を形成する。
続いて、収納部材６１の上面６１Ａに、収納部連結部材６２をスポット溶接などにより
連結し（ステップＳ１１）、収納連結部６３を形成する。
さらに両側に一般的なばね棒の両端が挿入されるばね棒係合部６４が一対ずつ形成され
た内部に隔壁を有する角筒形状のバンド連結部６５を形成する。
続いて、収納連結部６３の挿通部６２Ａに図示しないばね棒を挿入する。そして、バン
ド連結部６５の２対のばね棒係合部６４の一方側にばね棒を収縮させつつ、ばね棒の先端
を挿入することにより、収納連結部６３およびバンド連結部６５を連結して時計バンド端
部部材６０を構成する（ステップＳ１２）。
そして、収納部材６１の開口部６１Ｂ内に連結具１０を挿入し、スポット溶接などによ
り固定して、連結用端部部材６０Ｘとする。
【００１７】
図１３は、メタル製の時計バンドの連結用端部部材６０Ｘを時計本体に取り付けた場合
の外観斜視図である。
図１３に示すように、メタル製の時計バンドを取り付ける場合には、連結用端部部材６
０Ｘが時計本体４０のかん４１のかん穴４１Ａに取り付けられる。そして、連結用端部部
材６０Ｘの他方の一対のばね棒係合部６４に通常の方法でばね棒を用いてメタル製時計バ
ンドを取り付けることとなる。この場合においても、操作部材３０、３１も時計本体４０
を構成する時計ケース４０Ａからの時計バンドの脱着が容易な状態となっている。
【００１８】
ここで、時計バンドの時計本体を構成する時計ケースへの脱着動作について図１および
図１０を参照して説明する。
時計本体４０を構成する時計ケース４０Ａに時計バンド５０を装着する場合には、ユー
ザは、操作部材３０の一端３０Ｃおよび操作部材３１の一端３１Ｄを矢印Ｘ方向（図１参
照）に押圧して、操作部材３０および操作部材３１を摺動させ、係合部３０Ａおよび係合
部３１Ａを介してばね棒２０を収縮させる。この状態で、時計本体４０を構成する時計ケ
ース４０Ａのかん４１のかん穴４１Ａに対向する位置にばね棒２０の両端を位置させる。
その後、操作部材３０の一端３０Ｃおよび操作部材３１の一端３１Ｄの押圧操作をやめ
て、ばね棒２０の図示しないばねの付勢力によりばね棒２０の両端を伸長させる。
【００１９】
これにより、ばね棒２０の両端は、時計本体４０を構成する時計ケース４０Ａのかん穴
４１Ａ内に挿入され、係合して、時計バンド５０が時計本体４０を構成する時計ケース４
０Ａに装着されることとなる。
同様にして、時計本体４０を構成する時計ケース４０Ａから時計バンド５０を取り外す
場合には、ユーザは、操作部材３０の一端３０Ｃおよび操作部材３１の一端３１Ｄを矢印
Ｘ方向（図１参照）に押圧して、操作部材３０および操作部材３１を摺動させ、係合部３
０Ａおよび係合部３１Ａを介してばね棒２０を収縮させる。これにより、ばね棒２０の両
端の時計本体４０を構成する時計ケース４０Ａのかん穴４１Ａへの係合は解除されるので
、そのまま、時計バンド５０を抜き取ることにより、取り外しが完了する。
【００２０】
以上の説明のように、本実施形態によれば、時計の部品として一般的に用いられている
ばね棒を利用し、構成が簡単な連結具１０を構成することにより、時計本体４０に対する
時計バンド５０の着脱を工具を使うことなく、容易に行うことが可能となる。
【００２１】
以上の説明においては、連結具１０は１本のばね棒２０を用いるものであったが、図１
４に示すように、変形例の連結具１０Ｘは、支持片１３、１４に第３穴１５Ｃを設け、第
３穴１５Ｃにばね棒２０に並行につば部７０Ａを有する新たなばね棒７０を取り付けるよ
うにすれば、このばね棒７０側にメタル製の時計バンドなどを容易に取り付けることが可
能となる。
さらにこのばね棒７０にも、操作部材３０、３１と同様の部材を設け、双方のばね棒２
０、７０共に工具なしで被連結部材（時計本体、時計バンド、中留め、駒など）を着脱自
在とすることができる。
さらにまた、ばね棒７０を操作部材３０、３１のばね棒７０側に係合部材３０Ａ、３１
Ａと同様の部材を設け、ばね棒７０のつば部７０Ａに係合させることにより、ばね棒２０
およびばね棒７０を同時に着脱可能に構成することも可能である。
【００２２】
以上の説明においては、操作部３０、３１の誤操作防止については何ら考慮していなか
ったが、操作部３０あるいは操作部３１をぶつけてしまった場合などに、予期せずして連
結具１０と被連結部材（時計本体、時計バンド、中留め、駒など）との連結が解除するの
を防止すべく、図１５に示すように、実施形態の他の変形例の連結具１０Ｙには、保護部
材８０を設けられている。
この保護部材８０によれば、操作部材３０、３１の誤操作を防止し、不用意に連結具１
０と被連結部材（時計本体、時計バンド、中留め、駒など）との連結が解除されるのを防
止することが可能となる。
【００２３】
以上の各説明においては、時計本体と時計バンドとを連結する場合について述べたが、
時計バンドと中留めとを連結するための連結具、時計本体と駒あるいは駒同士を連結する
ための連結具として用いることも可能である。さらに、連結具は、時計以外の機器、たと
えば、バッグ、カバン、シートベルトなどに用いる各種バンド、腕輪やネックレス等の装
身具などの各種の用途に広く用いることができる。
【図面の簡単な説明】
【００２４】
【図１】実施形態の連結具の外観斜視図である。
【図２】基材の外観斜視図である。
【図３】操作部材３０の外観斜視図である。
【図４】操作部材３１の外観斜視図である。
【図５】ばね棒２０の外観斜視図である。
【図６】連結具の組み立て手順説明図である。
【図７】連結具の時計本体への取り付け状態の説明図である。
【図８】レザー製の時計バンド５０の端部の外観斜視図である。
【図９】ラバー製の時計バンド５５の端部の外観斜視図である。
【図１０】レザー製の時計バンドを時計本体に取り付けた場合の外観斜視図である。
【図１１】ラバー製の時計バンドを時計本体に取り付けた場合の外観斜視図である。
【図１２】メタル製の時計バンドの端部部材６０の組立説明図である。
【図１３】メタル製の時計バンドの連結用端部部材６０Ｘを時計本体に取り付けた場合の外観斜視図である。
【図１４】実施形態の変形例を説明する図である。
【図１５】実施形態の他の変形例を説明する図である。
【符号の説明】
【００２５】
１０、１０Ｘ、１０Ｙ…連結具、１１…基材、１２…基部、１３、１４…支持片、１５
Ａ…第１孔、１５Ｂ…第２孔、１５Ｃ…第３孔、２０…ばね棒、２０Ａ…つば部、３０、
３１…操作部材、３０Ａ、３１Ａ…係合部、３０Ｂ、３１Ｂ、３１Ｃ…ガイド部材、４０
…時計本体、４０Ａ…時計ケース、４１…かん、４１Ａ…かん穴、５０、５５、…時計バ
ンド、６０…端部部材、６０Ｘ…連結用端部部材、６１…収納部材、６２…収納部連結部
材、６２Ａ…挿通部、６３…収納連結部、６４…ばね棒係合部、６５…バンド連結部、７
０…ばね棒、７０Ａ…つば部、８０…保護部材。
【図１】
2006034654.tif 000003
【図２】
2006034654.tif 000004
【図３】
2006034654.tif 000005
【図４】
2006034654.tif 000006
【図５】
2006034654.tif 000007
【図６】
2006034654.tif 000008
【図７】
2006034654.tif 000009
【図８】
2006034654.tif 000010
【図９】
2006034654.tif 000011
【図１０】
2006034654.tif 000012
【図１１】
2006034654.tif 000013
【図１２】
2006034654.tif 000014
【図１３】
2006034654.tif 000015
【図１４】
2006034654.tif 000016
【図１５】
2006034654.tif 000017